(57)【特許請求の範囲】
【請求項１】
サニタリールームの基礎上に設置されるサニタリールームユニットの設置構造であって、
前記基礎の上面に沿って設けられ、かつ前記サニタリールームユニットが載せられる架台と、
前記基礎と前記架台との間に介在され、前記架台ひいては前記サニタリールームユニットを支持する支持手段と、
を備え、前記支持手段が、前記架台を固定し、かつ前記支持を担う接着硬化体を含み、前記支持手段が、上下に貫通する貫通穴を有するスペーサ部材を含み、前記貫通穴に前記接着硬化体が充填されていることを特徴とする設置構造。
【請求項２】
前記スペーサ部材が、互いに積層された複数のゴム板を含むことを特徴とする請求項１に記載の設置構造。
【請求項３】
前記架台には穴部が貫通形成されており、
前記穴部が前記貫通穴の真上に位置し、前記接着硬化体が、前記穴部に臨んでいることを特徴とする請求項１又は２に記載の設置構造。
【請求項４】
前記架台の前記穴部上に、前記サニタリールームユニットの脚部が立設されていることを特徴とする請求項３に記載の設置構造。
【請求項５】
サニタリールームの基礎上に設置されるサニタリールームユニットの設置構造であって、
前記基礎の上面に沿って設けられ、かつ前記サニタリールームユニットが載せられる架台と、
前記基礎と前記架台との間に介在され、前記架台ひいては前記サニタリールームユニットを支持する支持手段と、
を備え、前記支持手段が、前記架台を固定し、かつ前記支持を担う接着硬化体を含み、
前記基礎上の障害物の上方を跨ぐか又は前記障害物の下方をくぐるとともに前記架台（以下「第１架台」と称す）より高所又は低所に配置された第２架台と、
前記基礎と前記第２架台との間に介在された第２支持手段と、
前記第１架台及び前記第２架台の端部どうし間に介在され、前記第１、第２架台どうしを連結する架台連結手段と、
を更に備えたことを特徴とするサニタリールームユニットの設置構造。  
【請求項６】
既存の基礎を用いてサニタリールームを建て替える方法であって、
前記基礎上の建て替え前のサニタリールームユニットを撤去した後、
架台を前記基礎の上面に沿うように設け、
かつ、前記基礎と前記架台との間には、接着剤を含む支持手段を介在させ、
前記架台上に新設のサニタリールームユニットを設置し、
前記接着剤が硬化してなる接着硬化体によって、前記架台を前記基礎と固定させ、かつ前記架台ひいては前記新設のサニタリールームユニットを支持させ、
前記支持手段は、上下に貫通する貫通穴を有するスペーサ部材を前記基礎上に配置し、前記貫通穴に前記接着剤を充填することによって構成することを特徴とするサニタリールームの建替方法。
【請求項７】
前記架台に貫通形成された穴部を前記貫通穴の真上に位置させ、前記接着剤を前記穴部に臨ませることを特徴とする請求項６に記載の建替方法。
【請求項８】
前記穴部を、前記新設のサニタリールームユニットの設置位置の目印とすることを特徴とする請求項７に記載の建替方法。
【請求項９】
前記架台及び前記スペーサ部材を仮固定手段によって前記基礎に仮固定し、
その後、前記新設のサニタリールームユニットの前記架台上への設置を行なうことを特徴とする請求項６〜８の何れか１項に記載の建替方法。
【請求項１０】
既存の基礎を用いてサニタリールームを建て替える方法であって、
前記基礎上の建て替え前のサニタリールームユニットを撤去した後、
架台を前記基礎の上面に沿うように設け、
かつ、前記基礎と前記架台との間には、接着剤を含む支持手段を介在させ、
前記架台上に新設のサニタリールームユニットを設置し、
前記接着剤が硬化してなる接着硬化体によって、前記架台を前記基礎と固定させ、かつ前記架台ひいては前記新設のサニタリールームユニットを支持させる建替方法において、
前記基礎上に障害物が有る場合、前記基礎上に第２支持手段を介して第２架台を前記障害物の上方を跨ぐか又は前記障害物の下方をくぐるように設置し、
前記架台及び前記第２架台の端部どうしを架台連結手段によって連結することを特徴とする建替方法。
【発明の詳細な説明】
【技術分野】
【０００１】
本発明は、家屋等の建物におけるバスルーム（浴室）、シャワールーム、洗面所、トイレ等のサニタリールームの設置構造及びサニタリールームを建て替える方法に関する。
【背景技術】
【０００２】
バスルーム等のサニタリールームを建て替える際は、通常、元のサニタリールームユニット及び基礎を撤去して、新たに基礎を打設し直し、その上に新設のサニタリールームユニットを設置している。
特許文献１では、基礎を残置し、両側の布基礎（立上り基礎）に一対の支持金具を取り付け、これら支持体間に設置台を架け渡し、設置台上に新設のバスルームユニットを載置している。
【先行技術文献】
【特許文献】
【０００３】
【特許文献１】特開２０１０−２６５７１６号公報
【発明の概要】
【発明が解決しようとする課題】
【０００４】
基礎を撤去して、新たに打設し直すのは、煩雑であり、工期が長くなる。施工費用も嵩む。一方、基礎の痛みが軽く、使い回せる場合もある。
特許文献１においては、布基礎（立上り基礎）を用いた吊構造にすることで、ベタ基礎の状態に拘わらず施工可能であるが、ベタ基礎の状態が良好な場合でもそれを使わないのは不経済である。
本発明は、かかる事情に鑑み、既存の基礎（ベタ基礎）を用いてサニタリールームを短工期で建て替えることを目的とする。
【課題を解決するための手段】
【０００５】
前記問題点を解決するために、本発明構造は、サニタリールームの基礎上に設置されるサニタリールームユニットの設置構造であって、
前記基礎の上面に沿って設けられ、かつ前記サニタリールームユニットが載せられる架台と、
前記基礎と前記架台との間に介在され、前記架台ひいては前記サニタリールームユニットを支持する支持手段と、
を備え、前記支持手段が、前記架台を固定し、かつ前記支持を担う接着硬化体を含むことを特徴とする。
本発明方法は、既存の基礎を用いてサニタリールームを建て替える方法であって、
前記基礎上の建て替え前のサニタリールームユニットを撤去した後、
架台を前記基礎の上面に沿うように設け、
かつ、前記基礎と前記架台との間には、接着剤を含む支持手段を介在させ、
前記架台上に新設のサニタリールームユニットを設置し、
前記接着剤が硬化してなる接着硬化体によって、前記架台を前記基礎と固定させ、かつ前記架台ひいては前記新設のサニタリールームユニットを支持させることを特徴とする。
【０００６】
前記基礎としては、既存（建て替え前）のベタ基礎を用いることができる。そうすることで、新たに基礎を構築する必要が無く、工期を短縮できる。既存の基礎が多少傷んでいても、その上に架台を設けることで、サニタリールームユニットを安定的に設置することができる。基礎が多少凸凹になっていたとしても、支持手段によって架台の水平度を調整でき、サニタリールームユニットを安定的に支持できる。さらには、接着硬化体を介して架台を基礎に固定できる。かつ、接着硬化体によってサニタリールームユニットの荷重を支えることができる。
【０００７】
本発明構造において、前記支持手段が、上下に貫通する貫通穴を有するスペーサ部材を含み、前記貫通穴に前記接着硬化体が充填されていることが好ましい。
本発明方法において、上下に貫通する貫通穴を有するスペーサ部材を前記基礎上に配置し、前記貫通穴に前記接着剤を充填することが好ましい。
これによって、接着剤が硬化するまでの間、スペーサ部材によって接着剤の形状を保持でき、柱状の接着硬化体を形成できる。スペーサ部材の高さを調節することによって、接着剤の充填高さひいては接着硬化体の高さをも調節できる。
【０００８】
前記スペーサ部材が、互いに積層された複数のゴム板を含むことが好ましい。
ゴム板の積層枚数又は厚みを調整することによって、架台の水平度を確保できる。また、ゴム板の積層体によって防振性を確保できる。
【０００９】
本発明構造において、前記架台には穴部が貫通形成されており、
前記穴部が前記貫通穴の真上に位置し、前記接着硬化体が、前記穴部に臨んでいることが好ましい。
本発明方法において、前記架台に貫通形成された穴部を前記貫通穴の真上に位置させ、前記接着剤を前記穴部に臨ませることが好ましい。
これによって、穴部を通して、接着剤の充填度を確認することができる。
【００１０】
前記架台の前記穴部上に、前記サニタリールームユニットの脚部が立設されていることが好ましい。これによって、脚部を接着硬化体の真上に立設することができる。
前記穴部を、前記新設のサニタリールームユニットの設置位置の目印とすることが好ましい。これによって、サニタリールームユニットの位置の設定作業（墨出し等）を効率的に短時間で行うことができる。
【００１１】
前記架台及び前記スペーサ部材を仮固定手段によって前記基礎に仮固定し、
その後、前記新設のサニタリールームユニットの前記架台上への設置を行なうことが好ましい。
これによって、接着剤が未硬化であっても、新設サニタリールームユニットの設置時に架台やスペーサ部材が位置ずれしたり、架台がスペーサ部材から外れたりするのを防止できる。接着剤の硬化を待たずに新設サニタリールームユニットの設置を行なうことで、工期を一層短縮できる。
【００１２】
本発明構造において、前記基礎上の障害物の上方を跨ぐか又は前記障害物の下方をくぐるとともに前記架台（以下「第１架台」と称す）より高所又は低所に配置された第２架台と、
前記基礎と前記第２架台との間に介在された第２支持手段と、
前記第１架台及び前記第２架台の端部どうし間に介在され、前記第１、第２架台どうしを連結する架台連結手段と、
を更に備えていることが好ましい。
本発明方法において、前記基礎上に障害物が有る場合、前記基礎上に第２支持手段を介して第２架台を前記障害物の上方を跨ぐか又は前記障害物の下方をくぐるように設置し、
前記架台（第１架台）及び前記第２架台の端部どうしを架台連結手段によって連結することが好ましい。
これによって、障害物があっても、架台をその障害物と干渉しないように設置することができる。
【発明の効果】
【００１３】
本発明によれば、既存の基礎を用いてサニタリールームを建て替えることができる。したがって、工期を短縮でき、費用を低減できる。
【図面の簡単な説明】
【００１４】
【図１】図１は、本発明の一実施形態を示し、建て替え後のバスルーム（サニタリールーム）を図２のＩ−Ｉ線に沿って示す平面図である。
【図２】図２は、図１のＩＩ−ＩＩ線に沿う正面断面図である。
【図３】図３は、図２のＩＩＩ−ＩＩＩ線に沿う側面断面図である。
【図４（ａ）】図４（ａ）は、図３の円部ＩＶａを拡大して示す断面図である。
【図４（ｂ）】図４（ｂ）は、同図（ａ）のＩＶｂ−ＩＶｂ線に沿う断面図である。
【図５】図５は、図３の円部Ｖを拡大して示す断面図である。
【発明を実施するための形態】
【００１５】
以下、本発明の一実施形態を図面にしたがって説明する。
本実施形態は、家屋におけるバスルーム１（サニタリールーム）の建て替え施工に関する。図１〜図５は、建て替え後のバスルーム１を示したものである。図１〜図３に示すように、バスルーム１の基礎は、ベタ基礎部２と、その外周の立上り基礎部３を備えている。ベタ基礎部２は、バスルーム１の底部の全域に設けられている。ベタ基礎部２には、排水溝２ｂが形成されている。また、ベタ基礎部２上に給水管４（障害物）が配置されている。
【００１６】
ベタ基礎部２は、建て替え前（既存）のものがそのまま又は殆ど補修せずに使われている。本発明形態の建て替え施工によれば、ベタ基礎部２は、経年によって多少凸凹になっていたり、多少傷んでいたりしてもよい。
【００１７】
図２及び図３に示すように、建て替え後（新設）のバスルーム１は、新設のバスルームユニット５（サニタリールームユニット）と、架台１０と、支持手段２０を備えている。架台１０が、支持手段２０を介してベタ基礎部２の上面に沿うように設置されている。架台１０上に脚部６が立設され、脚部６の上端部にバスルームユニット５が支持されている。図では簡略化されているが、バスルームユニット５は、洗い場部分と、浴槽部分とを含む。脚部６は、高さ調節ネジ６ｂによって伸縮可能である。
【００１８】
図４に示すように、架台１０は、架台部１１と、一対の凸縁部１２，１２を含む。架台１０の断面形状は、概略Ｕ字状になっている。架台１０の材質は、鋼、鉄等の金属であるが、特にこれに限定されるものではない。架台部１１は、水平に真っ直ぐ延びる長尺の平板状になっている。架台部１１の幅方向（図４（ｂ）において左右）の両端部にそれぞれ凸縁部１２が設けられている。凸縁部１２は、架台部１１から上方へ突出され、かつ架台部１１の長手方向（図４（ａ）において左右）へ延びている。
【００１９】
図１に示すように、架台１０の長手方向は、バスルーム１の間口方向（図１において上下）に沿って水平に向けられている。かつ、複数の架台１０が、バスルーム１の奥行方向（出入方向、図１において左右）の入口側（左側）と奥側（右側）とに分かれて２列（複数列）配置されている。
なお、架台１０の長手方向の向き及び配列方向は、上記に限定されるものではない。
【００２０】
図４（ａ）に示すように、架台部１１の長手方向における所定の位置には、穴部１４が形成されている。図４（ｂ）に示すように、穴部１４は、架台１０の幅方向の中央部に配置され、架台部１１を厚み方向に貫通している。穴部１４は、脚部６の位置の基準となる目印を構成している。脚部６が、ちょうど穴部１４の真上に立設されている。脚部６の下端部によって穴部１４が塞がれている。
【００２１】
図４（ａ）に示すように、架台部１１における穴部１４の近くには、穴部１４より小さなビス挿通穴１５が形成されている。ビス挿通穴１５は、架台部１１を厚み方向に貫通している。ビス挿通穴１５は、穴部１４に対して架台１０の長手方向へ離れ、かつ架台１０の幅方向の中央部に配置されている。
なお、ビス挿通穴１５が、穴部１４に対して架台１０の幅方向の側方に配置されていてもよい。
【００２２】
図２及び図３に示すように、ベタ基礎部２と各架台１０との間には、支持手段２０が介在されている。複数の支持手段２０，２０…が、架台１０の長手方向に離れて配置されている。これら支持手段２０，２０…の上端部間に架台１０が架け渡されている。
【００２３】
図４に示すように、支持手段２０は、スペーサ部材２１と、接着硬化体２２を有している。スペーサ部材２１は、複数のゴム板２３，２３…を含む。各ゴム板２３は、例えばエチレン・プロピレン・ジエンゴム（ＥＰＤＭ）等のゴムにて構成され、正方形（四角形）の平板状になっている。各ゴム板２３の厚みは、例えば２ｍｍ〜５ｍｍ程度である。複数のゴム板２３，２３…の厚みが互いに等しくてもよい。任意の２つのゴム板２３，２３の厚みが互いに異なっていてもよい。複数のゴム板２３，２３…が積層されることによって、所要高さのスペーサ部材２１が構成されている。
【００２４】
図４に示すように、スペーサ部材２１には、これを上下に貫通する貫通穴２４が形成されている。つまり、各ゴム板２３には、貫通穴部２３ａが形成されている。複数のゴム板２３の貫通穴部２３ａが互いに連なることで貫通穴２４が構成されている。貫通穴２４の直径は、ゴム板２３の一辺の長さの例えば３分の１〜３分の２程度である。
【００２５】
図４（ａ）に示すように、スペーサ部材２１における貫通穴２４の側方には、ビス穴２５が形成されている。ビス穴２５は、スペーサ部材２１ひいては各ゴム板２３を上下に貫通している。ビス穴２５の上端部はビス挿通穴１５と連なっている。コンクリートビス２６（仮固定手段）が、ビス挿通穴１５及びビス穴２５を通って、ベタ基礎部２に打ち込まれている。コンクリートビス２６によって、架台１０及びスペーサ部材２１がベタ基礎部２に対して位置固定（仮固定）されている。
【００２６】
図４に示すように、貫通穴２４に接着硬化体２２が充填されている。接着硬化体２２は、接着剤２２Ａが硬化して出来たものである。接着剤２２Ａとしては、エポキシ系接着剤やアクリル系接着剤が挙げられる。この種の接着剤２２Ａは、接着性は勿論のこと、硬化することによって圧縮や引張等の強度が発現する。圧縮強度はコンクリートとほぼ同等である。ここでは、接着剤２２Ａとして、エポキシ系接着剤からなるドレンタイト（積水化学工業株式会社、登録商標）が用いられている。ドレンタイトからなる接着剤２２Ａは、速乾性であり、硬化時間は１〜２時間程度である。
【００２７】
接着硬化体２２の下端部は、ベタ基礎部２とスペーサ部材２１との間にも介在され、更にその一部分は、スペーサ部材２１の外側へはみ出している。なお、図４（ａ）及び同図ｂ）において、ベタ基礎部２とスペーサ部材２１との間の接着硬化体２２の厚みは、スペーサ部材２１の厚み等に対して誇張されている。
接着硬化体２２の上端部は、貫通穴２４の上端部に達し、架台１０の下面と接着している。また、接着硬化体２２の上端部が穴部１４に臨んでいる。
【００２８】
接着硬化体２２は、架台１０の固定機能及びバスルームユニット５の支持機能を担っている。すなわち、接着硬化体２２によって、架台１０がベタ基礎部２に接着固定されている。かつ、バスルームユニット５が、架台１０を介して支持手段２０の主に接着硬化体２２によって支持されている。接着硬化体２２は、バスルームユニット５を支持し得る十分な耐荷重強度を有している。貫通穴２４の直径が比較的大きく設定されることによって、耐荷重部材としての接着硬化体２２の所要断面積が確保されている。
【００２９】
図１及び図３に示すように、ベタ基礎部２上における給水管４等の障害物が有る場所の架台１０は、そのような障害物が無い場所の架台１０とは別になっている。以下、これら架台１０，１０を互いに区別するときは、障害物が無い場所の架台１０を「第１架台１０Ａ」と称し、障害物（給水管４等）が有る場所を通る架台１０を「第２架台１０Ｂ」と称す。また、第１架台１０Ａの支持手段２０を「第１支持手段２０Ａ」と称し、第２架台１０Ｂの支持手段２０を「第２支持手段２０Ｂ」と称す。
【００３０】
図３に示すように、第２支持手段２０Ｂの高さは、第１支持手段２０Ａの高さよりも大きい。つまり、第２支持手段２０Ｂのゴム板２３の枚数が、第１支持手段２０Ａのゴム板２３の枚数よりも多い。第２支持手段２０Ｂのゴム板２３の厚みが、第１支持手段２０Ａのゴム板２３の厚みより大きくてもよい。２つの第２支持手段２０Ｂ，２０Ｂが、給水管４を挟んで両側に配置されている。これら第２支持手段２０Ｂ，２０Ｂの上端部間に第２架台１０Ｂが架け渡されている。第２架台１０Ｂは、給水管４の上方を跨ぐようにして、給水管４と交差している。第２架台１０Ｂは、第１架台１０Ａよりも高所に位置している。
【００３１】
図３に示すように、一列をなす第１架台１０Ａ及び第２架台１０Ｂにおける互いに対向する端部どうしが上下に離れて対峙されている。これら架台１０Ａ，１０Ｂの端部どうしの間に架台連結手段３０が設けられている。架台連結手段３０によって第１架台１０Ａと第２架台１０Ｂとが連結されている。
第１架台１０Ａ及び第２架台１０Ｂの前記端部においては、凸縁部１２が切除されている。
【００３２】
図５に示すように、架台連結手段３０は、連結スペーサ部材３１と、連結ボルト３２を含む。連結スペーサ部材３１は、１又は複数のゴム板３３によって構成されている。ゴム板３３のゴム材質は、ゴム板２３と同じでもよく、異なっていてもよい。この連結スペーサ部材３１が、第１架台１０Ａの端部の上面と第２架台１０Ｂの端部の下面との間に介装されている。
【００３３】
連結ボルト３２が、第１架台１０Ａと、連結スペーサ部材３１と、第２架台１０Ｂとを貫通している。連結ナット３４が連結ボルト３２のネジ部にねじ込まれている。連結ナット３４と第２架台１０Ｂとの間には、ワッシャ３５及びスプリングワッシャ３６が介在されている。
【００３４】
バスルーム１は、次のようにして建て替えられる。
＜撤去工程＞
図示は省略するが、建て替え前の古いバスルームユニット（サニタリールームユニット）を撤去する。これによって、既存のベタ基礎部２が露出する。
【００３５】
＜仮置き工程＞
露出したベタ基礎部２の上面に沿って架台１０を仮置きする。ベタ基礎部２の隅角部や縁部等を基準にして、架台１０の仮置き位置を決める。
次に、この架台１０の穴部１４を基準にして、脚部６を立設すべき位置等を決めて、墨出しする。つまり、穴部１４を脚部６の立設位置の目印とすることができる。これによって、墨出し作業を効率的に短時間で行うことができる。
【００３６】
＜スペーサ設置工程＞
次に、各脚部６を立設すべき位置にスペーサ部材２１を設置する。詳しくは、前記各位置における架台１０とベタ基礎部２との間に、ゴム板２３を積層して設置する。各位置におけるゴム板２３の積層枚数及び厚みを調整することによって、架台１０が水平になるようにできる。
【００３７】
第２支持手段２０Ｂのスペーサ部材２１については、第１支持手段２０Ａのスペーサ部材２１よりもゴム板２３の枚数を多くしたり厚みの大きなものを用いたりする（図３参照）。これによって、第２支持手段２０Ｂのスペーサ部材２１の高さを、第１支持手段２０Ａのスペーサ部材２１の高さよりも大きくし、更には給水管４の高さよりも大きくする。これによって、第２架台１０Ｂを、給水管４の上方を横切るように配置できる。
【００３８】
＜接着剤充填工程＞
次に、仮置き状態の架台１０を外し、接着剤２２Ａをスペーサ部材２１の貫通穴２４に充填する。このとき、スペーサ部材２１を少し持ち上げる等して、接着剤２２Ａの下端部をスペーサ部材２１とベタ基礎部２の間にも入り込ませる（図４参照）。そして、接着剤２２Ａの下端部がスペーサ部材２１の外側に溢れていることを確認する。
なお、スペーサ部材２１をどかして、接着剤２２Ａをベタ基礎部２上に直接盛り、その上方からスペーサ部材２１を被せることで、接着剤２２Ａをスペーサ部材２１とベタ基礎部２の間及び貫通穴２４の内部に充填されるようにしてもよい。
更に、接着剤２２Ａを、その上端部が好ましくは貫通穴２４の上端から盛り上がる程度まで充填する。
【００３９】
＜架台設置（本設置）工程＞
続いて、各架台１０を、対応する複数のスペーサ部材２１間に架け渡す。このとき、穴部１４を貫通穴２４の真上に位置させ、接着剤２２Ａを穴部１４に臨ませる。これによって、穴部１４を通して、接着剤２２Ａが貫通穴２４の上端まで確実に充填されているか否かを確認することができる。
架台１０の設置（本設置）工程は、好ましくは接着剤２２Ａの充填後すぐに行なう。少なくとも接着剤２２Ａが硬化する前に行う。これによって、接着剤２２Ａが架台１０の下面にしっかりと接着される。ひいては、接着剤２２Ａを介して、架台１０がベタ基礎部２と接着される。
【００４０】
＜架台連結工程＞
第１架台１０Ａと第２架台１０Ｂとの端部どうしは、架台連結手段３０によって連結する。
すなわち、第１架台１０Ａと第２架台１０Ｂとの端部どうし間に連結スペーサ部材３１を挟む。ゴム板３３の積層枚数及び厚みを調整することによって、連結スペーサ部材３１の全体の厚みを、第１架台１０Ａと第２架台１０Ｂとの間の段差の高さと一致させることができる。そして、連結ボルト３２を、第１架台１０Ａと連結スペーサ部材３１と第２架台１０Ｂとに通し、かつ連結ナット３４を連結ボルト３２にねじ込んで締め込む。
【００４１】
＜仮固定工程＞
次に、コンクリートビス２６を、ビス挿通穴１５及びビス穴２５に通して、ベタ基礎部２に打ち込む。これによって、接着剤２２Ａが硬化するまでの期間、架台１０及びスペーサ部材２１をベタ基礎部２に対して仮固定しておくことができる。
なお、ビス穴２５は、ゴム板２３に予めピン等で形成しておいてもよく、コンクリートビス２６のねじ込みによって形成されていくようにしてもよい。
【００４２】
＜ルームユニット設置工程＞
次に、バスルームユニット５を設置する。
詳しくは、架台１０における各穴部１４上に脚部６を立設する。脚部６上にバスルームユニット５を載設する。
このとき、接着剤２２Ａが未だ硬化していなくても、前もって、架台１０及びスペーサ部材２１をコンクリートビス２６で仮固定しておくことによって、バスルームユニット５の設置作業中に、架台１０及びスペーサ部材２１が位置ずれしたり、架台１０がスペーサ部材２１から外れたりするのを防止できる。要するに、接着剤２２Ａが未硬化であっても、バスルームユニット５の設置作業を行なうことができる。
なお、バスルームユニット５の荷重によって未硬化の接着剤２２Ａが圧縮変形される等によって、バスルームユニット５が沈み込んだり僅かに傾いたりしたときは、高さ調節ネジ６ｂによって脚部６を伸縮させることで、バスルームユニット５の高さ及び水平度を確保できる。
【００４３】
＜硬化工程＞
やがて接着剤２２Ａが硬化することで接着硬化体２２となる。接着剤２２Ａは、速乾性であり、前記充填工程から１〜２時間程度で硬化する。この硬化時間は、セメントやモルタルの硬化時間（半日〜１日）と比べ十分に短い。
接着剤２２Ａが接着硬化体２２となることで、接着硬化体２２を介して架台１０をベタ基礎部２に固定できる。かつ、接着硬化体２２によってバスルームユニット５の荷重を支えることができる。
【００４４】
本建替方法によれば、既存のベタ基礎部２を使い回すことで、新たに基礎を構築する必要が無い。したがって、工期を大幅に短縮できる。かつ、施工費用を十分に削減できる。
さらに、接着剤２２Ａの硬化を待たずにバスルームユニット５を設置できるから、工期を一層短縮できる。
既存のベタ基礎部２が経年によって多少傷んでいても、その上に架台１０を敷くことで、バスルームユニット５を安定的に設置することができる。ベタ基礎部２が多少凸凹になっていたとしても、支持手段２０によって架台１０の水平度を調整でき、バスルームユニット５を安定的に支持できる。
このようにして建て替えられたバスルーム１によれば、積層ゴム板２３からなるスペーサ部材２１によって、防振性を確保でき、更には音鳴りを防止できる。
【００４５】
本発明は、前記実施形態に限られず、その趣旨を逸脱しない範囲内で種々の改変をなすことができる。
例えば、工期短縮の目的を損なわない範囲で、既存のベタ基礎部２を若干手直ししてもよい。建て替え前のバスルームユニット用の短い柱状の台座がベタ基礎部２上に設けられているときは、その台座をハンマーで叩く等して取り除くことで、架台１０の邪魔にならないようにしてもよい。
ベタ基礎部２と給水管４との間に空間がある場合は、第２架台１０Ｂを、給水管４の下方を横切るように配置してもよい。つまり、第２架台１０Ｂは、給水管４等の障害物の下方をくぐるように配置されていてもよい。第２架台１０Ｂが、第１架台１０Ａよりも低所に配置されていてもよい。
接着剤２２Ａが硬化するのを待って、バスルームユニット５を架台１０上に設置することにしてもよい。
スペーサ部材２１は、少なくとも接着剤２２Ａを充填でき、かつ硬化するまでの間の接着剤２２Ａの形状を保持できるものであればよく、ゴム製に限られず、ボール紙製や木製等であってもよい。スペーサ部材２１を省略してもよい。
架台１０における脚部６の設置位置の目印は、穴部１４に限られず、マーキングでもよい。脚部６は、架台１０上の穴部１４等の目印に対して一定の位置に配置されるようになっていればよく、必ずしも目印の真上に配置される必要はない。
本発明は、バスルーム１に限られず、シャワールーム、洗面所、トイレ等、他のサニタリールームの建て替えにも適用できる。
【産業上の利用可能性】
【００４６】
本発明は、例えば家屋におけるバスルームの建て替え施工に適用できる。
【符号の説明】
【００４７】
１          バスルーム（サニタリールーム）
２          ベタ基礎部（既存の基礎）
４          給水管（障害物）
５          新設のバスルームユニット（サニタリールームユニット）
６          脚部
１０        架台
１０Ａ      第１架台
１０Ｂ      第２架台
１１        架台部
１２        凸縁部
１４        穴部（目印）
１５        ビス挿通穴
２０        支持手段
２０Ａ      第１支持手段
２０Ｂ      第２支持手段
２１        スペーサ部材
２２        接着硬化体
２２Ａ      接着剤
２３        ゴム板
２３ａ      貫通穴部
２４        貫通穴
２５        ビス穴
２６        コンクリートビス（仮固定手段）
３０        架台連結手段
３１        連結スペーサ部材
３２        連結ボルト
３３        ゴム板
３４        連結ナット
【図１】
0006635542.tif 000002
【図２】
0006635542.tif 000003
【図３】
0006635542.tif 000004
【図４（ａ）】
0006635542.tif 000005
【図４（ｂ）】
0006635542.tif 000006
【図５】
0006635542.tif 000007